(57)【要約】【課題】高い視認性と高い装飾性を兼ね備えたスケルトン腕時計を提供する。【解決手段】時刻を視覚的に表示する針と、針を駆動する機械式のムーブメントと、ムーブメントを収納するケースと、ケースの一方の面を保護する透明なカバーガラスと、ケースの他方の面を保護する裏蓋とで構成され、ムーブメントの駆動の様子が少なくても前記カバーガラス側から視認できるスケルトン腕時計において、針とムーブメントとの間に透明状態と散乱状態の２種類の状態を保持可能な光変調文字板を備えるスケルトン腕時計。【選択図】図１
2011203213.tif 000002
【特許請求の範囲】
【請求項１】
時刻を視覚的に表示する針と、前記針を駆動する機械式のムーブメントと、前記ムーブメントを収納するケースと、前記ケースの一方の面を保護する透明なカバーガラスと、前記ケースの他方の面を保護する裏蓋とで構成され、前記ムーブメントの駆動の様子が少なくとも前記カバーガラス側から視認できるスケルトン腕時計において、
前記針と前記ムーブメントとの間に透明状態と散乱状態の２種類の状態を保持可能な光変調文字板を備えるスケルトン腕時計。
【請求項２】
前記光変調文字板はポリマーネットワーク液晶パネルである請求項１に記載のスケルトン腕時計。
【請求項３】
前記光変調文字板の前記ムーブメント側に、反射偏光子と位相差板とにより成り立つ円偏光フィルターを備える請求項１または２に記載のスケルトン腕時計。
【請求項４】
前記光変調文字板の前記ムーブメント側に、前記光変調文字板側から反射偏光子と、前記反射偏光子と透過軸が略同じよう設置した吸収型偏光板と、位相差板の多層構造をとる円偏光フィルターを備える請求項１または２に記載のスケルトン腕時計。
【請求項５】
前記光変調文字板の層のいずれかにホログラムを設置している請求項１ないし４のいずれか１項に記載のスケルトン腕時計。
【請求項６】
前記スケルトン腕時計は、前記光変調文字板の透明状態と散乱状態の２種類の状態を切り替え駆動させる駆動回路と、駆動するための電力を供給する電源手段と、前記駆動回路の動作を制御するスイッチ手段がある請求項１ないし５のいずれか１項に記載のスケルトン腕時計。
【請求項７】
前記電源手段は、前記カバーガラスと前記ケースとの見切りの内周部の一部または全面に太陽電池を配置し、前記駆動回路を駆動する電力を供給する請求項６に記載のスケルトン腕時計。
【請求項８】
前記スイッチ手段は前記ムーブメントに備わる竜頭により制御可能である請求項６または７に記載のスケルトン腕時計。
【発明の詳細な説明】
【技術分野】
【０００１】
本発明は、腕時計のケースに内蔵されたムーブメントの動きが透視できるスケルトン腕時計に関する。
【背景技術】
【０００２】
スケルトン腕時計は、文字板の一部や大部分を切り取って透過性をもたせ、機械式時計の精密な内部機構の動くさまを見て楽しむ趣味性の高い腕時計である。これは、構造上の必要から一部残された本来の文字板がまるで骸骨のように見え、「肋骨越しに時計の内臓を見ている」ことになぞらえて命名されたと言われている。
【０００３】
従来のスケルトン腕時計の文字板構造の例として、ドーナツ状に金属板の中心に円形開口を設けてムーブメントに固定し、表面側の所定位置に時刻表示指標である数字と目盛等が設けられたものがある。また、文字板のないものは、カバーガラスの内面外周近傍の所定位置に、時刻表示指標である数字と目盛、ブランド名等を印刷等の手段で設けることで、文字板の機能を果していた。
【０００４】
また、従来のコンビネーション電子時計はアナログ時計に加え、デジタル時計の機能も兼ね備えている。具体的には、コンビネーション電子時計は、反射型偏光板を有した液晶表示体をアナログ式時計の文字板と同一面または視認側の反対側に設け、アナログ式時計の時刻表示部の全域または一部に、時、分、秒などの時刻情報や日付、曜日、月、年などのカレンダー情報、または住所、電話番号などの個人情報をメタリックに表示する。また、液晶表示体を文字板に設置し、各種情報を盛り込むことも可能であり、液晶表示体の無い部位からアナログ式時計のメカニカルな部分を見ることができる従来例がある（例えば、特許文献１参照。）。
【先行技術文献】
【特許文献】
【０００５】
【特許文献１】特開平１１−５２０７４号公報
【発明の概要】
【発明が解決しようとする課題】
【０００６】
しかしながら、従来のスケルトン腕時計の文字板構造では、通常形態の時計と比較すると文字板の表示エリアが狭いために、スケルトン腕時計のデザインバリエーションの拡大ができず、すべて画一的なデザインとなっていた。
【０００７】
また、時針、分針、秒針の背面背景は機械式時計のムーブメントを構成する多くのたくさんの機能部品で構成されるため、通常形態の時計の文字板のようなクリアーな背景背面とならない。結果として、針の視認性が通常形態の時計よりも劣ってしまう。
【０００８】
特許文献１に示されている例では、液晶表示体を文字板の一部に置き換えてある。そして電圧を印加しない状態において、アナログ式時計の歯車の動きを視認できる構成となっている。
【０００９】
しかし、液晶表示体を９０度ツイストするツイステッドネマチック型を用いる場合、吸収型の偏光板により透過した光の半分以上は吸収されてしまう。その結果、通常のスケルトン腕時計と比べて視認性が劣り、装飾された鮮やかな金メッキの色がくすんで見えてしまう。
【００１０】
さらに、液晶表示体を９０度ツイストするツイステッドネマチック型は、電圧を印加した部分では偏光板により光は吸収されるので、ムーブメントを構成する多くの機能部品と液晶表示体の間隙に影が発生する。結果として装飾された鮮やかな機能部品の美観を損なってしまう。
【００１１】
本発明は上記従来の課題に鑑みなされたものであり、時刻確認時は通常形態の時計の文字板を使用した時と同様に時針、分針、秒針の視認性がよいモードを利用し、他のモードではスケルトンとしての透過性を維持して、装飾されたムーブメントを視認でき、デザインバリエーションの拡大ができる。以上により、モードを切り替えることができるスケルトン腕時計を提供する。
【課題を解決するための手段】
【００１２】
上記の課題を達成するために、以下の発明について記載する。
【００１３】
第１の発明は、時刻を視覚的に表示する針と、針を駆動する機械式のムーブメントと、ムーブメントを収納するケースと、ケースの一方の面を保護する透明なカバーガラスと、ケースの他方の面を保護する裏蓋とで構成され、ムーブメントの駆動の様子が少なくてもカバーガラス側から視認できるスケルトン腕時計において、針とムーブメントとの間に透明状態と散乱状態の２種類の状態を保持可能な光変調文字板を備えること。
【００１４】
第２の発明は、上記第１の発明において、光変調文字板はポリマーネットワーク液晶パネルであること。
【００１５】
第３の発明は、上記第１および２の発明において、光変調文字板のムーブメント側に、反射偏光子と位相差板とにより成り立つ円偏光フィルターを備えること。
【００１６】
第４の発明は、上記第１および２の発明において、光変調文字板側から反射偏光子と、反射偏光子と透過軸が略同じよう設置した吸収型偏光板と、位相差板との多層構造で成り立つ円偏光フィルターを備えること。
【００１７】
第５の発明は、上記第１から４のいずれかの発明において、光変調文字板の層のいずれかにホログラムを設置していること。
【００１８】
第６の発明は、上記第１から５のいずれかの発明において、スケルトン腕時計は、光変調文字板の透明状態と散乱状態の２種類の状態を切り替え駆動させる駆動回路と、駆動するための電力を供給する電源手段と、駆動回路の動作を制御するスイッチ手段があること。
【００１９】
第７の発明は、上記第６の発明において、電源手段は、カバーガラスとケースとの見切りの内周部の一部または全面に太陽電池を配置し、駆動回路を駆動する電力を供給すること。
【００２０】
第８の発明は、上記第６および７の発明において、スイッチ手段はムーブメントに備わる竜頭により制御可能であること。
【発明の効果】
【００２１】
本発明のスケルトン腕時計では、所定の動作により２種類の状態を容易に切り替えることができる。光変調文字板が透明状態となる場合はスケルトン腕時計として機能する。また、光変調文字板が散乱状態となる場合は通常形態の時計の文字板と同様の視認性を確保できる。よって、機械式時計の精密な内部機構の動く様を見て楽しむ趣味性の高い腕時計と、時刻の視認性に優れた文字板を有する通常形態の時計とを状態の切り替えにより擬似的に実現できる。
【００２２】
さらに光変調文字板にポリマーネットワーク液晶パネルを用いることで、偏光板が不要となり視認性が高くなる。また、光変調文字板が散乱状態の時は黒色ではなく明るい白色となりる。ポリマーネットワーク液晶パネル上に着色した文字、時刻表示指標である数字と目盛、ブランド名等を印刷等の手段で設けても問題ない。結果、多様なデザインのバリエーションが視認性を損なうことなく実現できる。
【００２３】
また、光変調文字板のカバーガラス側の面に透過型のホログラムシールを貼ることで、散乱状態の白色文字板に光輝性や虹色の干渉色を付加することが可能となり装飾性に優れた文字板を実現できる。
【００２４】
光変調文字板の全面あるいは予めデザインされた一部の領域に電圧を印加することにより、ポリマーネットワーク液晶パネルが透明状態になり、明るくクリアーに機械式時計の精密な内部機構を視認できる。
【００２５】
さらに、ムーブメント側に反射偏光子と、その反射偏光子に光が入射する面とは反対の面側に設けられた位相差板とで構成される円偏光フィルターをポリマーネットワーク液晶パネル備えることで、散乱時におけるポリマーネットワーク液晶パネルの透過性が改善している。
【００２６】
さらに、ポリマーネットワーク液晶パネルは、ムーブメント側に反射偏光子と、その反射偏光子の光が入射する面とは反対の面側に吸収型偏光板を反射偏光子の透過軸と同じ透過軸となるように設けられ、さらに吸収型偏光板の光が入射する面とは反対の面側に位相差板とで構成される円偏光フィルターを備えることで、ムーブメント構成部品表面反射を吸収して、部品のエッジのみ表示するエッジ強調を可能とし、従来に無い見栄えを可能とする。
【図面の簡単な説明】
【００２７】
【図１】本発明に係るスケルトン腕時計を示す模式断面図である。
【図２】本発明に係る光変調文字板を駆動する回路構成を示す模式図である。
【図３】実施例１の光変調文字板の作用を説明する模式図である。
【図４】本発明に係る透過型のホログラムの作用を説明する模式図である。
【図５】実施例２の光変調文字板の作用を説明する模式図である。
【図６】実施例３の光変調文字板の作用を説明する模式図である。
【発明を実施するための形態】
【００２８】
本発明を実施するための形態について図面を参照して説明する。
【実施例１】
【００２９】
図１は、本発明に係るスケルトン腕時計を表す模式図である。スケルトン腕時計は、透明なカバーガラス１を嵌着したケース２と、ケース２に内蔵されたムーブメント７と、カバーガラス１の間に配設された光変調文字板６と、光変調文字板６とカバーガラス１との間にムーブメント７から突出した指針取り付け軸にそれぞれ取り付けられた時針４、分針３と、光変調文字板６の駆動回路９と駆動回路９の電源用の太陽電池５を内蔵し、ケース２に嵌着する裏蓋８とから構成されている。裏蓋８は透明体に限るものでなく金属板でも良い。
【００３０】
光変調文字板６はポリマーネットワーク液晶パネルである。２枚のガラス基板にそれぞれＩＴＯ膜を製膜し、パターニングして配向膜形成した後、２枚のガラス基板を、８ミクロンのスペーサを介して貼りあわせた。この２枚のガラス基板に、液晶材料としてポリマーネットワーク液晶を２枚のガラス基板を３０℃の温度を保持しながら真空注入した。これを２５．５℃の温度に保持しながら、メタルハライドランプで７５ｍＷ／平方センチメータの紫外線を２０秒間照射し作製した。
【００３１】
使用する液晶モードは、ポリマーネットワーク液晶以外に、コレステリック・ネマティック相転移型液晶モード、強誘電性液晶散乱モード、高分子分散液晶モード、動的散乱液晶モード（ＤＳＭ）を使用してよい。
【００３２】
ＭＩＭやＴＦＴ等のアクティブ素子と組み合わせて、高分子分散液晶モード、動的散乱液晶モード（ＤＳＭ）などを使用してもよい。また印加電圧をコントロールすることで、透明状態と散乱状態を可逆的に変化すればよく、メモリー性が付与されていてもよい。
【００３３】
太陽電池５の設置方法について説明する。ケース２に取り付けられたカバーガラス１と、光変調文字板６との隙間の最外周に、図示しない透光性の見切りリングを配置し、更にその見切りリングの外周部にリング状の太陽電池５を当接させることで設置する。
【００３４】
これにより、カバーガラス１と光変調文字板６間で反射を繰り返した光がこの透光性の見切りリングに入射しリング状の太陽電池５に入射してくる。また、カバーガラス１の見切りサイズと同程度のサイズに光変調文字板６の見切りを設定可能となり、太陽電池によるデザインの制約をなくすことができた。これら入射光により光電変換した電力が、光変調文字板６を駆動する電力として利用される。
【００３５】
本発明で使用する太陽電池は、蛍光灯下で最も発電効率が高くなるアモルファスシリ
コン太陽電池を用いて、複数のセルを直列に接続され、光変調文字板６を駆動するに十分な電圧を得る構成としている。
【００３６】
図２は本発明に係る光変調文字板を駆動する回路構成を示す模式図である。図中の太陽電池５からの出力はコンデンサー２５で蛍光灯などの光強度の揺らぎから生じる電圧変動を平滑し蓄電する。スイッチ手段２６は光変調文字板を透明状態と散乱状態とを切り替える働きをする。スイッチ手段２６において、電源からの電流を駆動回路９に供給するか否かを制御し、光変調文字板を透明状態と散乱状態切り替える。スイッチ手段２６を駆動回路９と光変調文字板の間に配置してもよい。
【００３７】
スイッチ手段２６は機械式の接点をケースに取り付けられた竜頭により制御される構成にしてもよい。また、機械式接点をムーブメント内に設けて、特定の時間に接点が閉じる構成を付加されてもよい。また、光電センサーや静電容量センサーをスイッチに利用することも可能であり、衝撃を検知して動作するようにしても良い。
【００３８】
駆動回路９は光変調文字板の電極に接続され、電極の分割数に対応した分だけ必要となる。光変調文字板が、ポリマーネットワーク液晶パネルの場合、交流化された３０Ｈｚから６０Ｈｚの矩形波で駆動される。駆動は連続駆動あるいは１秒程度の間欠駆動でも良い。また、秒針等と連動してポリマーネットワーク液晶パネルを駆動してもよい。
【００３９】
図３は、光変調文字板６の作用を説明する模式図である。図１の構成から光変調文字板６の作用を説明するのに必要な構成部品のみ記載し、他の構成は省略している。光変調文字板６の左半分は電圧無印加時の散乱状態を示す。一方右半分は電圧印加時の透明状態を示す。
【００４０】
左半分に入射した外光１０は光変調文字板６の拡散領域で後方散乱光１２と前方散乱光１３に変化し、更に前方散乱光１３はムーブメント７を拡散照射し反射される。観測者１１は後方散乱光１２とムーブメント７を拡散照射した反射光の合成を視認することとなり、白色の文字板と視認できる。図３では拡散光の光路の描写は省略した。
【００４１】
時針４、分針３は白色の文字板となることで視認性が改善される。従来の液晶表示体の文字板とは異なり偏光板を使用せず、明るい白色を実現できた。
【００４２】
一方、右半分に入射した外光１０は光変調文字板６の透明領域を透過してムーブメント７からの反射光１４として観測者１１に視認される。従って、ムーブメント７をクリアーに視認できる。偏光板を使用しないため、高い透過率を実現できた。
【００４３】
光変調文字板６は透明状態においてスケルトン腕時計と同様に機能する。そして光変調文字板６は散乱状態において通常形態の時計の文字板と同様の視認性を得る。よって、機械式時計の精密な内部機構の動くさまを見て楽しむ趣味性の高い腕時計と時刻の視認性に優れた文字板を有する通常形態の時計を任意に選択することができる。また、部分的に透明な領域も選択可能となり、ポリマーネットワーク液晶パネルのＩＴＯ膜のパターンをデザインすることで意匠性に富んだ表現が可能となる。
【００４４】
光変調文字板６とムーブメント７の間隙が少ないとムーブメント７の形状が透けて見えるようになるので、ある程度の間隙を維持することが望ましい。具体的には１ｍｍ前後となるが、この限りではない。
【００４５】
図４は、本発明に係る透過型のホログラムの作用を説明する模式図である。時針４、または分針３、またはその他の指針と光変調文字板６の間に透過型のホログラム２４を配置している。透過型のホログラム２４は透明な基材上に、ホログラム形成層、透明蒸着層、接着層を順次設けてなる透明ホログラムシールで、透明蒸着層が屈折率の異なる複数のセラミック材料を積層している。
【００４６】
また、透明蒸着層に低屈折率と高屈折率のセラミックを交互に組み合わせることで特定の波長領域の光線を反射あるいは透過させるという性質を利用する。また、かつ見る角度を変化させることで透明蒸着層の膜厚が変化するため、波長領域がシフトし、色が異なって見える。
【００４７】
また、ホログラム形成層は特定のパターンや画像を表示でき、特性の方向で光輝性を示し虹色に分光する。外光１０が透過型のホログラム２４に入射すると一部の光が光輝光２３として反射しホログラムのパターンとなる。残りの光は透過型のホログラム２４を透過し、光変調文字板６の拡散領域では後方散乱光１２と前方散乱光１３に変化し、透明領域では変化なくそのまま透過する。
【００４８】
光変調文字板６の拡散領域では光輝光２３と後方散乱光１２が合成され真珠のような光沢の白色文字板や胡蝶貝のような美しい干渉色を表現可能となる。光輝光２３の強度は透明蒸着層の設計により自由にコントロールできる。
【００４９】
光変調文字板６の透明領域では、外光１０はホログラム２４および光変調文字板６の透明領域を透過してムーブメント７からの反射光１４として観測者１１に視認される。
【００５０】
ホログラムのパターンを利用することで、時刻表示指標である数字と目盛、ブランド名等が表示可能となる。また、透過型のホログラム２４の代わりに光変調文字板６に印刷で時刻表示指標である数字と目盛、ブランド名等を表示してもよい。
【実施例２】
【００５１】
図５は実施例２の光変調文字板６の作用を説明する模式図である。実施例１で説明した図１の構成と同じであるが、異なる光変調文字板６の作用について説明するのに必要な構成部品のみ記載している。光変調文字板６としてポリマーネットワーク液晶パネルを使用し、ムーブメント７側に反射偏光子２０と、その反射偏光子２０の光が入射する面とは反対の面側に設けられた位相差板２１とで成り立つ円偏光フィルターを採用した。
【００５２】
図では光変調文字板６と反射偏光子２０との間隔が空いているが、これは光線の作用を説明するためであり、実際は光学的に密着していてもよい。
【００５３】
反射偏光子２０としては、住友スリーエム株式会社のＤＢＥＦ（Ｄｕａｌ  Ｂｒｉｇｈｔｎｅｓｓ  Ｅｎｈａｎｃｅｍｅｎｔ  Ｆｉｌｍ）を使用した。位相差板２１には、日東電工株式会社の広帯域波長フィルム１／４λ板を使用した。これ以外にもグリット反射偏光板やコレステリック液晶ポリマーを利用した反射偏光板などを利用してもよい。反射偏光子２０としては、ＤＢＥＦ以外にコレステリックポリマーの選択反射フィルムと位相差フィルムを組み合わせた反射偏光子を使用してもよい。位相差板２１には、波長分散を補償した１／４λ板を用いることが望ましい。
【００５４】
光変調文字板６の左半分は電圧無印加時の散乱状態を示す。一方右半分は電圧印加時の透明状態を示す。左半分に入射した外光１０は光変調文字板６の拡散領域で後方散乱光１２と前方散乱光１３に変化し、更に前方散乱光１３は反射偏光子２０からの反射光１５として約半分を反射する。残りの半分の前方散乱光１３は位相差板２１を透過し偏光方位を９０度ずれる円偏光効果でムーブメント７との間で多重反射１６の矢印が示すように繰り返し反射して、ムーブメント７からの反射光１７として拡散を強めて反射する。
【００５５】
この結果、拡散領域では後方散乱光１２と反射偏光子２０からの反射光１５とムーブメントからの反射光１７の合成なり、散乱が強くなりムーブメント７が透けて見えなくなる。この効果を利用して、光変調文字板６とムーブメント７との間隙を短くする事も可能となり、時計の厚みを薄くする場合メリットが生じる。これは、多重反射１６により光路が倍となるために、光学的に散乱場所と物体との距離が増加したとみなせるためである。
【００５６】
一方、右半分に入射した外光１０は光変調文字板６の透明領域を透過して反射偏光子２０からの正反射光１８となる。残りの半分の外光１０は位相差板２１を透過し偏光方位を９０度ずれる円偏光効果でムーブメント７との間で多重反射１９の矢印が示すように繰り返し反射する。そして、ムーブメント７の構成部品を隅々まで照らして、ムーブメント７からの反射光１４となる。結果として、正反射光１８の光軸上から視認位置をずれた位置にいる観測者１１は反射光１４によりムーブメント７をクリアーに視認することができる。
【実施例３】
【００５７】
図６は実施例３の光変調文字板６の作用を説明する模式図である。実施例１で説明した図１の構成と同じであるが、異なる光変調文字板６の作用について説明するのに必要な構成部品のみ記載している。光変調文字板６としてポリマーネットワーク液晶パネルを使用し、ムーブメント７側に反射偏光子２０と、その反射偏光子２０の光が入射する面とは反対の面側に設けられた吸収型偏光板２２を反射偏光子２０の透過軸と同じ透過軸となるように設けられ、さらに吸収型偏光板２２の光が入射する面とは反対の面側に位相差板２１とで構成される円偏光フィルターを備える構成とした。
【００５８】
図では光変調文字板６と反射偏光子２０との間隔が空いているが、これは光線の作用を説明するためであり、実際は光学的に密着していてもよい。反射偏光子２０と位相差板２１は実施例２と同じ構成である。
【００５９】
光変調文字板６の左半分は電圧無印加時の散乱状態を示す。一方右半分は電圧印加時の透明状態を示す。左半分に入射した外光１０は光変調文字板６の拡散領域で後方散乱光１２と前方散乱光１３に変化し、更に前方散乱光１３は反射偏光子２０からの反射光１５として約半分を反射する。残りの半分の前方散乱光１３は吸収型偏光板２２と位相差板２１を透過し偏光方位を９０度ずれる円偏光効果を受ける。その後、ムーブメント７からの反射光１７は吸収型偏光板２２で吸収される。
【００６０】
しかし、ムーブメント部品でも偏光を解消する部品エッジ部は吸収を免れるが、その光強度は弱いので影響はない。この結果、拡散領域では後方散乱光１２と反射偏光子２０からの反射光１５との合成なり、散乱が強くなるとともに、ムーブメント７からの反射光１７が吸収型偏光板２２で吸収されるので、よりムーブメント７が透けて見えにくくなる。また、この効果を利用して、光変調文字板６とムーブメント７との間隙を短くする事も可能となり、時計の厚みを薄くする場合メリットが生じる。
【００６１】
一方、右半分に入射した外光１０は光変調文字板６の透明領域を透過して反射偏光子２０からの正反射光１８となる。反射し残りの半分は吸収型偏光板２２と位相差板２１を透過する。偏光方位を９０度ずれる円偏光効果でムーブメント７からの反射光１４は、吸収型偏光板２２で吸収され黒くなる。
【００６２】
しかし、ムーブメント部品でも偏光を解消する部品エッジ部は吸収を免れ、その光は観測者１１により、部品のエッジのみ表示するエッジ強調効果として観察され、従来に無い見栄えを可能とする。
【符号の説明】
【００６３】
１  カバーガラス
２  ケース
３  分針
４  時針
５  太陽電池
６  光変調文字板
７  ムーブメント
８  裏蓋
９  駆動回路
１０  外光
１１  観測者
１２  後方散乱光
１３  前方散乱光
１４、１５、１７  反射光
１６、１９  多重反射
１８  正反射光
２０  反射偏光子
２１  位相差板
２２  吸収型偏光板
２３  光輝光
２４  ホログラム
２５  コンデンサー
２６  スイッチ手段
【図１】
2011203213.tif 000003
【図２】
2011203213.tif 000004
【図３】
2011203213.tif 000005
【図４】
2011203213.tif 000006
【図５】
2011203213.tif 000007
【図６】
2011203213.tif 000008